(57)【要約】【課題】ジャック部分の防水性を確保しつつ筐体を薄型化できる電子機器を提供する。【解決手段】筐体１１の壁部２０の内側に配置された略箱状のジャック３０のプラグ挿通孔３２が、筐体１１の壁部２０に設けられた貫通孔２１からが外部に露出する。壁部２０の内面にはジャック３０を囲む枠部２３が設けられており、枠部２３の内面にはＯリング３４が当接する。このとき、Ｏリング３４の中心軸ＣＬが貫通孔２１の貫通方向に対して交差しているので、Ｏリング３４による筐体１１の厚さ方向の増加を低減でき、ジャック３０部分の防水性を確保しつつ筐体１１を薄型化できる。【選択図】図４
2012238822.tif 000002
【特許請求の範囲】
【請求項１】
筐体と、
前記筐体の壁部に設けられた貫通孔と、
前記壁部の内側に配置され、前記貫通孔からプラグ挿通孔が外部に露呈する略箱状のジャックと、
前記壁部の内面に連続し、かつ、前記ジャックを囲む枠部と、
前記ジャックの外側面に設けられ、前記枠部の内面に当接するＯリングと、を備え、
前記Ｏリングの中心軸が、前記貫通孔の貫通方向に対して交差している電子機器。
【請求項２】
請求項１に記載の電子機器において、
前記枠部の縁部に沿う面および前記Ｏリングが沿う面が、前記ジャックの載置面に対して傾斜している電子機器。
【発明の詳細な説明】
【技術分野】
【０００１】
本発明は、筐体に防水性のコネクタを有する電子機器に関するものである。
【背景技術】
【０００２】
従来より、筐体に防水性のコネクタを有する電子機器が知られている（例えば、特許文献１参照）。
特許文献１の電子機器では、円盤状の防水パッキンの端面に同心円状のリブを複数設け、これらのリブを筐体の内面に押圧させることにより防水性を得ている。
また、図８に示すように、円筒状のジャック１００の周面にＯリング１０１を設けるとともに、筐体を構成するカバー１０２およびケース１０３にそれぞれ半円形の切欠１０２Ａ、１０３Ａを設ける。そして、Ｏリング１０１が、各切欠１０２Ａ、１０３Ａの内面を押圧するようにカバー１０２およびケース１０３に取り付けることにより、ジャック１００を挟持して防水性を得る構造も提案されている。
【先行技術文献】
【特許文献】
【０００３】
【特許文献１】特開平１１−１９０４６８号公報（第１図）
【発明の概要】
【発明が解決しようとする課題】
【０００４】
しかしながら、前述したような構造においては、Ｏリング１０１の厚さ分だけ筐体が厚くなるため、筐体を薄型化する上で障害となるという問題があった。
【０００５】
本発明は、従来の問題を解決するためになされたもので、ジャック部分の防水性を確保しつつ筐体を薄型化できる電子機器を提供することを目的とする。
【課題を解決するための手段】
【０００６】
本発明の電子機器は、筐体と、前記筐体の壁部に設けられた貫通孔と、前記壁部の内側に配置され、前記貫通孔からプラグ挿通孔が外部に露呈する略箱状のジャックと、前記壁部の内面に連続し、かつ、前記ジャックを囲む枠部と、前記ジャックの外側面に設けられ、前記枠部の内面に当接するＯリングと、を備え、前記Ｏリングの中心軸が、前記貫通孔の貫通方向に対して交差しているものである。
【０００７】
また、本発明の電子機器は、前記枠部の縁部に沿う面および前記Ｏリングが沿う面が、前記ジャックの載置面に対して傾斜しているものである。
【発明の効果】
【０００８】
本発明では、筐体の壁部の内面にはジャックを囲む枠部が設けられており、枠部の内面にはＯリングが当接する。Ｏリングの中心軸が貫通孔の貫通方向に対して交差しているので、Ｏリングによる筐体の厚さ方向の増加を低減でき、ジャック部分の防水性を確保しつつ筐体を薄型化できるという効果を有する電子機器を提供できる。
【図面の簡単な説明】
【０００９】
【図１】本発明に係る第１実施形態の電子機器としての携帯端末の斜視図
【図２】ジャック取付部の斜視図
【図３】ジャックの斜視図
【図４】図１中ＩＶ−ＩＶ位置の断面図
【図５】図４中Ｖ−Ｖ位置の断面図
【図６】プラグの正面図
【図７】本発明に係る第２実施形態のジャック取付部の断面図
【図８】従来の問題点を示す説明図
【発明を実施するための形態】
【００１０】
（第１実施形態）
以下、本発明に係る第１実施形態の電子機器について、図面を用いて説明する。
図１に示すように、本発明に係る実施形態の電子機器は、例えば携帯端末１０とすることができる。携帯端末１０は、矩形箱状の筐体１１を有しており、筐体１１の一面には、表示部１２が設けられている。また、表示部１２の上側にはスピーカ等の発音部１３を有し、表示部１２の下側にはマイク１４を有する。
【００１１】
筐体１１の壁部である一側面２０の内側には、接続コード４０を介して他の電子機器等と接続するためのジャック３０が設けられている。
図２に示すように、壁部２０には、筐体１１の内部と外部とを連通する貫通孔２１が設けられており、壁部２０の内面２０１にはジャック取付部２２が設けられている。
なお、貫通孔２１における壁部２０の内面２０１には、後述するジャック３０の端子３７の突出部３７１（図３参照）との干渉を避けるための切欠き２１１が設けられている。
【００１２】
ジャック取付部２２では、壁部２０の内面２０１から筐体１１の内部に向かって、ジャック３０を位置決めするための枠部２３が壁部２０と一体的に設けられている。枠部２３は、貫通孔２１を挟む一対の側壁２３１、２３１と、側壁２３１の先端を連結する先端壁２３２を有し、平面視全体コ字状を呈している。側壁２３１は、筐体１１の内側に向かって低くなるように傾斜（傾斜面２３１Ａ）している。各側壁２３１の外側には、ジャック３０を固定するための固定台２４が設けられており、固定台２４の上面には、ねじ穴２４１が設けられている。
ジャック取付部２２において枠部２３に囲まれてジャック３０が載置される載置面２５には、貫通孔２１から筐体１１の内部に向かって凹部２５１が設けられている。
【００１３】
図３に示すように、ジャック３０は、全体矩形箱状の筐体３１を有する。筐体３１の前壁３１１には、接続コード４０のプラグ４１を挿入するためのプラグ挿通孔３２が設けられている。プラグ挿通孔３２の内面には、挿入されたプラグ４１の各極４１Ａ、４１Ｂ、４１Ｃ、４１Ｄ（図６参照）と接触して導通するための端子３７が設けられており、端子３７の先端がプラグ挿通孔３２から突出している（突出部３７１）。
【００１４】
図３および図４に示すように、筐体３１の上壁３１２は、前方（プラグ挿通孔３２側）の厚さが大きく、後方の厚さが小さくなるような傾斜面３１２Ａを有する。上壁３１２の左右両側には、ジャック３０をジャック取付部２２の固定台２４に取り付けるための取付けブラケット３６が外側に張り出して設けられている（図６参照）。取付けブラケット３６には、ねじ穴３６１が設けられている。
【００１５】
筐体３１の後方の後壁３１３（図４参照）には、ジャック３０を携帯端末１０の内部機器に接続するために、複数本の接続端子３３が後方に突出して取り付けられている。
ジャック３０の外周面には、前壁３１１、一対の側壁３１４、３１４、後壁３１３を囲むようにして凹溝３５が形成されており、凹溝３５にはＯリング３４が取り付けられる。凹溝３５は、前壁３１１ではプラグ挿通孔３２の上側を通過し、後壁３１３では接続端子３３の下側を通過しており、両側壁３１４、３１４では前方から後方へ向かって傾斜している。
【００１６】
従って、貫通孔２１の貫通方向は、Ｏリング３４の中心軸ＣＬに対して交差することになる。すなわち、後壁３１３においてＯリング３４（凹溝３５）の通過する高さ位置を、プラグ挿通孔３２の底面３２１の高さ位置の近傍あるいは上方に設けることが可能になる。このため、ジャック３０におけるプラグ挿通孔３２の下側の厚みを低減させることができ、ジャック３０の厚みを低減できる。
ここで、Ｏリング３４の「中心軸ＣＬ」とは、Ｏリング３４を含む平面あるいは擬似的な平面の中心を通って、平面に直交する軸を意味し、平面形状が円形のみに限らず楕円や矩形等であってもよい。
【００１７】
次に、ジャック３０のジャック取付部２２への取付けについて説明する。
前述したように、ジャック３０においては、プラグ挿通孔３２から端子３７の突出部３７１が突出しているので、ジャック３０を上方から下方へ真っ直ぐに下ろしてジャック取付部２２に取り付けることができない。このため、ジャック取付部２２の先端壁２３２の上方から、端子３７の突出部３７１を貫通孔２１に挿入するように斜め下方に移動させ、突出部３７１を貫通孔２１の切欠き２１１に挿入してジャック３０を枠部２３の内部に取り付ける。
このとき、ジャック取付部２２の先端壁２３２の高さが低くなっているので、容易にジャック３０を嵌めることができる。また、ジャック３０の後壁３１３から後方へ突出している接続端子３３は、先端壁２３２の上方に位置するので、干渉しない。
【００１８】
ジャック３０を枠部２３の内部に挿入することにより、ジャック３０の取付けブラケット３６が、ジャック取付部２２の固定台２４の上面に位置する。このため、取付けブラケット３６を固定台２４にねじ１５（図５参照）で締結することにより、ジャック３０を固定する。
【００１９】
以上、説明した本発明に係る第１実施形態の電子機器１０によれば、筐体１１の壁部２０の内側に配置された略箱状のジャック３０のプラグ挿通孔３２が、筐体１１の壁部２０に設けられた貫通孔２１からが外部に露出する。壁部２０の内面にはジャック３０を囲む枠部２３が設けられており、枠部２３の内面にはＯリング３４が当接する。
このとき、Ｏリング３４の中心軸ＣＬが貫通孔２１の貫通方向に対して交差しているので、Ｏリング３４による筐体１１の厚さ方向の増加を低減でき、ジャック３０部分の防水性を確保しつつ筐体１１を薄型化できる。
【００２０】
また、本発明の電子機器１０は、枠部２３の縁部に沿う面およびＯリング３４が沿う面が、ジャック３０の載置面２５に対して傾斜しているので、Ｏリング３４を設けることによる筐体１１の厚さの増加を低減できる。
また、枠部２３の縁部に沿う面が、ジャック３０の載置面２５に対して傾斜しているので、プラグ挿通孔３２から端子３７の突出部３７１が突出していても、枠部２３内にジャック３０を容易に取り付けることができ、組立性を向上できる。
【００２１】
（第２実施形態）
次に、本発明に係る第２実施形態の電子機器を説明する。
なお、前述した第１実施形態にかかる携帯端末１０と共通する部位には同じ符号を付して、重複する説明を省略することとする。
図７に示すように、第２実施形態の携帯端末１０Ｂでは、ジャック３０Ｂの上端部に水平に凹溝３５ＢおよびＯリング３４Ｂを設けて、ジャック３０Ｂを真っ直ぐ下方へ下ろしてジャック取付部２２Ｂに挿入する。
第１の実施形態で説明した端子３７の突出部３７１が、ジャック３０の挿入に邪魔にならない場合には、このようにしても、第１実施形態の携帯端末１０と同様の作用・効果を得ることができる。
【００２２】
なお、本発明の電子機器は、前述した各実施形態に限定されるものでなく、適宜な変形，改良等が可能である。
【産業上の利用可能性】
【００２３】
以上のように、本発明にかかる電子機器は、筐体の壁部の内面にはジャックを囲む枠部が設けられており、枠部の内面にはＯリングが当接する。Ｏリングの中心軸が貫通孔の貫通方向に対して交差しているので、Ｏリングによる筐体の厚さ方向の増加を低減でき、ジャック部分の防水性を確保しつつ筐体を薄型化できるという効果を有し、筐体に防水性のコネクタを有する電子機器等として有用である。
【符号の説明】
【００２４】
１０、１０Ｂ  電子機器
１１  筐体
２０  壁部
２１  貫通孔
２３  枠部
３０、３０Ｂ  ジャック
３１１  前壁（外側面）
３１３  後壁（外側面）
３１４  側壁（外側面）
３２  プラグ挿通孔
３２１  底面（載置面）
３４、３４Ｂ  Ｏリング
ＣＬ  中心軸
【図１】
2012238822.tif 000003
【図２】
2012238822.tif 000004
【図３】
2012238822.tif 000005
【図４】
2012238822.tif 000006
【図５】
2012238822.tif 000007
【図６】
2012238822.tif 000008
【図７】
2012238822.tif 000009
【図８】
2012238822.tif 000010